【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
参加者間の会議通話におけるオーディオを処理するための方法であって、
（ａ）十分に混合されたパケットのオーディオストリームを生成することであって、各パケットは、パケットヘッダおよびペイロードを有する、ことと、
（ｂ）部分的に混合されたパケットのオーディオストリームのセットを生成することであって、各パケットは、パケットヘッダおよびペイロードを有する、ことと、
（ｃ）該十分に混合されたオーディオストリームおよび該部分的に混合されたオーディオストリームのセットにおいて各パケットをマルチキャストすることと、
（ｄ）該それぞれのパケットにおけるパケットヘッダ情報に基づいてどのマルチキャストされたパケットを転送するかを決定することと
を包含する、方法。
【請求項２】
前記ステップ（ａ）および（ｂ）の前に、
前記参加者間の前記会議通話を開始することと、
該開始された会議通話における会議識別子情報（ＣＩＤ）および各参加者に関連付けられたネットワークアドレス情報を格納することとをさらに包含する、請求項１に記載の方法。
【請求項３】
スイッチングされた仮想回路（ＳＶＣ）を前記会議通話のそれぞれの参加者に割り当てることをさらに包含し、該格納するステップは、前記ＣＩＤおよびネットワークアドレス情報を格納することをさらに包含し、各参加者に対する前記ＣＩＤおよびネットワークアドレス情報は、それぞれ割り当てられたＳＶＣに基づいて取り出され得るように該ＣＩＤおよびネットワークアドレス情報を格納することをさらに包含する、請求項２に記載の方法。
【請求項４】
前記参加者の入来するオーディオストリームにおけるエネルギーをモニタリングすることと、
該モニタリングされたエネルギーに基づいてアクティブスピーカの数を決定することとをさらに包含する、請求項１に記載の方法。
【請求項５】
前記生成するステップ（ａ）および（ｂ）は、前記決定されたアクティブスピーカの数に基づいてアクティブスピーカ情報を有するパケットヘッダを生成し、前記決定するステップ（ｄ）は、該それぞれのパケットヘッダにおける該アクティブスピーカ情報に基づいてどのマルチキャストされたパケットを参加者に転送するかを決定するかを決定する、請求項４に記載の方法。
【請求項６】
前記アクティブスピーカ情報は、ＴＡＳおよびＩＡＳフィールドを含み、前記生成するステップ（ａ）は、ＴＡＳおよびＩＡＳフィールドを含むパケットヘッダを有する完全に混合されたパケットのオーディオストリームを生成し、前記生成するステップ（ｂ）は、ＴＡＳおよびＩＡＳフィールドを含むパケットヘッダを有する部分的に混合されたパケットのオーディオストリームのセットを生成する、請求項５に記載の方法。
【請求項７】
前記決定するステップ（ｂ）は、前記それぞれのパケットヘッダにおいて前記ＴＡＳおよびＩＡＳフィールドにおける情報に基づいて、どのマルチキャストされたパケットを参加者に転送するかを決定する、請求項６に記載の方法。
【請求項８】
ＳＶＣにおいて処理されている各パケットに対して前記決定するステップ（ｄ）は、
該ＳＶＣのためのＣＩＤ値を取得するステップと、
該取得されたＣＩＤ値が該パケットのＴＡＳフィールドにおける任意のＣＩＤ値と整合するかどうかを決定し、整合が存在する場合、該取得されたＣＩＤ値が該パケットのＩＡＳフィールドにおける任意のＣＩＤ値に整合するかどうかを決定するステップであって、それにより、該ＴＡＳフィールドにおける該取得されたＣＩＤ値と任意のＣＩＤ値との間に整合が存在し、かつ、該ＩＡＳフィールドにおける該取得されたＣＩＤ値と任意のＣＩＤ値との間に整合が存在する場合、該パケットが放棄される、ステップとをさらに包含する、請求項６に記載の方法。
【請求項９】
前記パケットのＴＡＳフィールドにおける前記取得されたＣＩＤ値と任意のＣＩＤ値との間に整合が存在しない場合、該ＴＡＳフィールドと前記ＩＡＳフィールドとを比較することをさらに包含し、それにより、該比較されたフィールドが同一である場合、該パケットは、ネットワークパケットに変換され得、それ以外該比較されたフィールドが同一ではない場合、該パケットは放棄され得る、請求項８に記載の方法。
【請求項１０】
前記パケットヘッダは、シーケンス情報をさらに含み、前記生成するステップ（ａ）は、該シーケンス情報を含むパケットヘッダを有する完全に混合されたパケットのオーディオストリームを生成し、前記生成するステップ（ｂ）は、該シーケンス情報を含むパケットヘッダを有する部分的に混合されたパケットのオーディオストリームのセットを生成する、請求項６に記載の方法。
【請求項１１】
前記生成するステップ（ａ）は、完全に混合されたパケットオーディオストリームを生成し、各パケットは、パケットヘッダおよびペイロードを有し、該ペイロードは、少なくとも３つのアクティブスピーカからの混合されたオーディオを含み、
前記生成するステップ（ｂ）は、部分的に混合されたパケットのオーディオストリームのセットを生成し、各パケットは、パケットヘッダおよびペイロードを有し、各部分的に混合されたパケットのオーディオストリームに対して、該ペイロードは、それぞれの受信アクティブスピーカのオーディオを除いた少なくとも３つのアクティブスピーカからの混合されたオーディオを含む、請求項１に記載の方法。
【請求項１２】
前記決定するステップ（ｄ）において、前記会議通話の参加者のネットワークアドレスを有するネットワークパケットに転送されるように決定されるパケットを処理することと、
該ネットワークパケットを該参加者に送信することとをさらに包含する、請求項１に記載の方法。
【請求項１３】
アクティブスピーカである前記会議通話の参加者からネットワークを介して受信されたオーディオを混合することをさらに包含する、請求項１に記載の方法。
【請求項１４】
内部オーディオソースから受信されたオーディオとアクティブスピーカである会議通話の参加者からネットワークを介して受信されたオーディオとを混合することをさらに包含する、請求項１に記載の方法。
【請求項１５】
参加者間の会議通話におけるオーディオを処理する会議ブリッジであって、
完全に混合されたパケットのオーディオストリームおよび部分的に混合されたパケットのオーディオストリームのセットを生成するオーディオソースであって、各パケットは、パケットヘッダおよびペイロードを有する、オーディオソースと、
スイッチと、
ネットワークインターフェースコントローラと
を含み、
該スイッチは、該ネットワークインターフェースコントローラと該オーディオソースとの間で結合され、該スイッチは、マルチキャスタをさらに含み、
該マルチキャスタは、該完全に混合されたオーディオストリームおよび該部分的に混合されたオーディオストリームのセットにおける各パケットを該ネットワークインターフェースコントローラにマルチキャストし、該ネットワークインターフェースコントローラは、該それぞれのパケットにおけるパケットヘッダ情報に基づいてどのマルチキャストされたパケットを転送するかを決定する、会議ブリッジ。
【請求項１６】
前記参加者間の会議通話を開始する会議通話エージェントをさらに含む、請求項１５に記載の会議ブリッジ。
【請求項１７】
該確立された会議通話の各参加者に関連付けられた会議識別子情報（ＣＩＤ）およびネットワークアドレス情報を格納する格納デバイスをさらに含む、請求項１６に記載の会議ブリッジ。
【請求項１８】
前記格納デバイスは、ルックアップテーブルを含む、請求項１７に記載の会議ブリッジ。
【請求項１９】
前記ネットワークインターフェースコントローラは、スイッチングされた仮想回路（ＳＶＣ）を前記開始された会議通話におけるそれぞれの参加者に割り当て、前記格納デバイスは、それぞれの割り当てられたＳＶＣに基づいて、各参加者に対する前記ＣＩＤおよびネットワークドレス情報が取り出され得るように、該ＣＩＤおよびネットワークアドレス情報を格納する、請求項１７に記載の会議ブリッジ。
【請求項２０】
前記オーディオソースは、前記参加者の入来するオーディオストリームにおけるエネルギーをモニタリングし、該モニタリングされたエネルギーに基づいてアクティブスピーカの数を決定する、請求項１５に記載の会議ブリッジ。
【請求項２１】
前記オーディオソースによって生成された前記パケットヘッダは、前記決定されたアクティブスピーカの数に基づくアクティブスピーカ情報を有し、前記ネットワークインターフェースコントローラは、前記それぞれのパケットヘッダにおける該アクティブスピーカ情報に基づいて、どのマルチキャストされたパケットを参加者に転送するかを決定する、請求項２０に記載の会議ブリッジ。
【請求項２２】
前記アクティブスピーカ情報は、ＴＡＳおよびＩＡＳフィールドを含み、前記ネットワークインターフェースコントローラは、前記それぞれのパケットヘッダにおいての該ＴＡＳおよびＩＡＳフィールドにおける情報に基づいて、どのマルチキャストされたパケットを参加者に転送するかを決定する、請求項２１に記載の会議ブリッジ。
【請求項２３】
前記オーディオソースによって生成された前記パケットヘッダは、シーケンス情報をさらに含む、請求項２２に記載の会議ブリッジ。
【請求項２４】
前記完全に混合されたパケットのオーディオストリームは、少なくとも３つのアクティブスピーカからの混合されたオーディオを含むペイロードを有し、前記セットにおける部分的に混合されたパケットのオーディオストリームの各々は、それぞれの受信アクティブスピーカのオーディオを除いた該少なくとも３つのアクティブスピーカからの混合されたオーディオを含むペイロードを有する、請求項１５に記載の会議ブリッジ。
【請求項２５】
前記会議通話の参加者のネットワークアドレスを有するネットワークパケットに転送されるように決定されたパケットを処理するパケットプロセッサをさらに含む、請求項１５に記載の会議ブリッジ。
【請求項２６】
前記オーディオソースは、アクティブスピーカである前記会議通話の参加者からネットワークを介して受信されたオーディオを混合する、請求項１５に記載の会議ブリッジ。
【請求項２７】
前記オーディオソースは、内部オーディオソースから受信されたオーディオとアクティブスピーカである前記会議通話の参加者からネットワークを介して受信されたオーディオとを混合する、請求項１５に記載の会議ブリッジ。
【請求項２８】
参加者間の会議通話におけるオーディオを処理するためのシステムであって、
（ａ）完全に混合されたパケットのオーディオストリームを生成する手段であって、各パケットは、パケットヘッダおよびペイロードを有する、手段と、
（ｂ）部分的に混合されたパケットのオーディオストリームのセットを生成する手段であって、各パケットは、パケットヘッダおよびペイロードを有する、手段と、
（ｃ）該完全に混合されたオーディオストリームおよび該部分的に混合されたオーディオストリームのセットにおける各パケットをマルチキャストする手段と、
（ｄ）該それぞれのパケットにおけるパケットヘッダ情報に基づいて、どのマルチキャストされたパケットを転送されるかを決定する手段と
を含む、システム。
【請求項２９】
参加者間の会議通話におけるオーディオを処理する分散会議ブリッジを含むＶＯＩＰネットワークにおいて用いられるメディアサーバであって、該分散会議ブリッジは、
完全に混合されたパケットのオーディオストリームおよび部分的に混合されたパケットのオーディオストリームのセットを生成するオーディオソースであって、各パケットはパケットヘッダおよびペイロードを有する、オーディオソースと、
スイッチと、
ネットワークインターフェースコントローラと
を含み、
該スイッチは、該ネットワークインターフェースコントローラと該オーディオソースとの間で結合され、該スイッチは、マルチキャスタをさらに含み、
該マルチキャスタは、該完全に混合されたオーディオストリームおよび該部分的に混合されたオーディオストリームのセットにおける各パケットを該ネットワークインターフェースコントローラにマルチキャストし、該ネットワークインターフェースコントローラは、該それぞれのパケットにおけるパケットヘッダ情報に基づいて、どのマルチキャストされたパケットを転送するかを決定する、メディアサーバ。
【請求項３０】
ネットワークを介してエグレスオーディオチャネル上に提供されたオーディオをノイズレスにスイッチンングするための方法であって、
（ａ）該エグレスオーディオチャネルのためのエグレスパケットの第１のオーディオストリームを生成することであって、各エグレスパケットは、オーディオおよび制御ヘッダ情報を搬送するペイロードを含む、ことと、
（ｂ）該第１のオーディオストリームを該エグレスオーディオチャネルに関連付けられた第１のネットワークインターフェースコントローラにスイッチングし、かつ、供給することと、
（ｃ）エグレスパケットの第２のオーディオストリームを生成することであって、各エグレスパケットは、オーディオおよび制御ヘッダ情報を搬送するペイロードを含む、ことと、
（ｄ）該第２のオーディオストリームを該エグレスオーディオチャネルに関連付けられた該第１のネットワークインターフェースコントローラにスイッチングし、かつ、供給することと、
（ｅ）該エグレスパケットの制御ヘッダ情報における優先度情報に基づいて該第１および第２のオーディオストリームの相対優先度を評価して、該ネットワークを介して該エグレスオーディオチャネルに送信するために、該第１および第２のストリームオーディオのどちらがより高い優先度のオーディオストリームであるかを決定する、ことと
を包含する、方法。
【請求項３１】
同期されたヘッダ情報を有するパケットの出力エグレスオーディオストリームを作成するために、前記より高い優先度のオーディオストリームをパケット化することと、
前記ネットワークを介して前記エングレオーディオチャネル上で該パケットの出力エグレスオーディオストリームを送信することと
をさらに包含する、請求項３０に記載の方法。
【請求項３２】
同期されたヘッダ情報を有するパケットの出力エグレスオーディオストリームを作成するために、より低い優先度のオーディオストリームをパケット化することをさらに包含し、それにより、同期化されたヘッダ情報は、前記第１および第２のオーディオストリームの両方からオーディオに対して、前記ネットワークを介して前記エグレスオーディオチャネル上で送信されたＩＰパケットにおいてノイズレスに保存される、請求項３０に記載の方法。
【請求項３３】
前記エグレスパケットの第１のオーディオストリームを第１のセルに変換することと、
前記エグレスパケットの第２のオーディオストリームを第２のセルに変換することとをさらに包含し、
前記スイッチングするステップ（ｂ）は、該変換された第１のセルを前記エグレスオーディオチャネルに関連付けられたＳＶＣにスイッチングすることを包含し、前記スイッチングするステップ（ｄ）は、該変換された第２のセルを該エグレスオーディオチャネルに関連付けられた該ＳＶＣにスイッチングすることを包含する、請求項３０に記載の方法。
【請求項３４】
前記同期化されたヘッダ情報は、有効なＲＴＰ情報を包含する、請求項３１に記載の方法。
【請求項３５】
（ｆ）前記ネットワークを介して前記エグレスオーディオチャネル上で前記第１および第２のオーディオストリームのそれぞれのオーディオペイロードを含むＩＰパケットを送信する前に、該第１および第２のオーディオストリームの各々に対する同期化されたＲＴＰヘッダ情報を決定することをさらに包含する、請求項３０に記載の方法。
【請求項３６】
第２のオーディオソースからのオーディオを第１のオーディオソースからのオーディオを既に搬送するエグレスオーディオチャネルにノイズレスにスイッチングするための方法であって、
該第２のオーディオソースにおけるエグレスパケットのオーディオストリームを生成することと、
該エグレスパケットのオーディオストリームをセルに変換することと、
該変換されたセルを該エグレスオーディオチャネルに関連付けられたスイッチングされた仮想回路（ＳＶＣ）にスイッチングすることと、
該スイッチングされたセルを該エグレスパケットのオーディオストリームに戻すように変換することと、
同期化されたヘッダ情報を有するパケットの出力エグレスオーディオストリームを作成するために該オーディオストリームをパケット化することと、
該第１のオーディオソースからのオーディオの代わりに、ネットワークを介して該エグレスオーディオチャネル上で該パケットの出力エグレスオーディオストリームを送信することと
を包含する、方法。
【請求項３７】
前記生成するステップは、コールイベントに応答して、前記第２のオーディオソースにおいてエグレスパケットのオーディオストリームを生成する、請求項３６に記載の方法。
【請求項３８】
前記生成するステップは、コールイベントに応答して、前記第２のオーディオソースにおいてエグレスパケットのオーディオストリームを生成し、該エグレスパケットのオーディオストリームは、音声、音楽、トーン、またはサウンドの内の少なくとも１つから選択されたオーディオのタイプを含む、請求項３６に記載の方法。
【請求項３９】
緊急条件、コールシグナリング条件、非コール者またはコール者情報に基づくコールイベント、またはオーディオ情報に対するリクエストの内の少なくとも１つに基づいて前記コールイベントを生成することをさらに包含する、請求項３８に記載の方法。
【請求項４０】
オーディオ情報に対するリクエストに基づいて前記コールイベントを生成することをさらに包含し、該オーディオ情報に対するリクエストは、広告、ニュース、スポーツ、金融、音楽、または他のオーディオコンテンツに対するリクエストの内の少なくとも１つを含む、請求項３８に記載の方法。
【請求項４１】
インターネットを介した音声（ＶＯＩＰ）通話のためにオーディオを介してノイズレスなスイッチを導入するための方法であって、
宛先デバイスとメディアサーバとの間でＶＯＩＰ通話を確立することと、
第１のオーディオソースに対する優先度情報を設定することと、
該設定された優先度情報を含むエグレスパケットの第１のオーディオストリームを供給することと、
オーディオを介してノイズレスなスイッチを受け取る利用可能性に対してコールステータスを決定することと、
該コールステータス決定ステップは、該確立されたＶＯＩＰ通話がオーディオを介してノイズレスなスイッチを受け取るための候補であることを示す場合、オーディオを介してノイズレスなスイッチを含むコールイベントを処理することと
を包含する、方法。
【請求項４２】
前記処理するステップは、
オーディオを介して前記ノイズレスなスイッチに対する優先度情報を決定することと、
オーディオを介して該ノイズレスなスイッチに対する該決定された優先度情報が前記第１のオーディオストリームの設定された優先度情報よりも大きい場合、該確立されたＶＯＩＰ通話においてパケットの出力オーディオストリームにおけるオーディオを介して該ノイズレスなスイッチを送信することとを包含する、請求項４１に記載の方法。
【請求項４３】
第２のオーディオソースにおいてエグレスパケットの第２のオーディオストリームを生成することであって、該オーディオストリームは、ペイロードにおけるオーディオを介して前記ノイズレスなスイッチを有する、ことと、
該エグレスパケットの第２のオーディオストリームをセルに変換することと、
該変換されたセルを前記確立されたＶＯＩＰ通話のエグレスオーディオチャネルに関連付けられたＳＶＣにスイッチングすることと、
該スイッチングされたセルを該エグレスパケットの第２のオーディオストリームに戻すように変換することと、
該確立されたＶＯＩＰ通話における前記パケットの出力オーディオストリームを作成するために、同期化されたヘッダ情報を有する該第２のオーディオストリームをパケット化することと、
前記第１のオーディオソースからのオーディオの代わりに、ネットワークを介して、該確立されたＶＯＩＰ通話における該エグレスオーディオチャネル上で該パケットの出力オーディオストリームを送信することとをさらに包含する、請求項４２に記載の方法。
【請求項４４】
ネットワークを介してエグレスオーディオチャネル上に提供されたオーディオをノイズレスにスイッチングするためのシステムであって、
第１および第２のオーディオソースと、
該第１および第２のオーディオソースに結合されたスイッチと、
該スイッチに結合されたネットワークインターフェースコントローラと
を含み、
該第１のオーディオソースは、該エグレスオーディオチャネルのためのエグレスパケットの第１のオーディオストリームを生成し、各エグレスパケットは、オーディオおよび制御ヘッダ情報を搬送するペイロードを含み、
該第２オーディオソースは、エグレスパケットの第２のオーディオストリームを生成し、各エグレスパケットは、オーディオおよび制御ヘッダ情報を搬送するペイロードを含み、該スイッチは、該ネットワークインターフェースコントローラに供給されるための該エグレスパケットの第１のオーディオストリームと該エグレスパケットの第２のオーディオストリームとをスイッチングし、該ネットワークインターフェースコントローラは、該ネットワークを介して、該エグレスオーディオチャネル上で該第１のおよび第２のオーディオストリームからのオーディオを搬送する同期パケットの送信を制御する、システム。
【請求項４５】
前記第２のオーディオソースに結合されたエグレスオーディオコントローラをさらに含み、該エグレスオーディオコントローラは、前記第２のオーディオストリームの生成を開始するために、該第２のオーディオソースに制御信号を送信する、請求項４４に記載のシステム。
【請求項４６】
前記エグレスオーディオコントローラは、前記第１のオーディオソース、前記スイッチ、および前記ネットワークインターフェースコントローラにさらに結合され、該エグレスオーディオコントローラは、ＶＯＩＰ通話が確立される場合、前記第１のオーディオストリームの生成を開始するために該第１のオーディオソースに制御信号を送信し、該確立されたＶＯＩＰ電話通話に関連付けられたエグレスオーディオ出力チャネルに関連付けられるものとして該ネットワークインターフェースコントローラを識別する制御信号を該スイッチに送信し、かつ、該確立されたＶＯＩＰ通話に関連付けられたエグレスオーディオ出力チャネルに関連付けられるものとしての該ネットワークインターフェースコントローラに制御信号を送信する、請求項４５に記載のシステム。
【請求項４７】
前記エグレスオーディオコントローラは、前記第１のオーディオソースにさらに結合され、該エグレスオーディオコントローラは、前記第１および第２のオーディオストリームにおける優先度情報を設定するために該第１および第２のオーディオソースに制御信号を送信する、請求項４６に記載のシステム。
【請求項４８】
同期化されたヘッダ情報およびオーディオペイロードを有するＩＰパケットを生成する少なくとも１つのパケットプロセッサをさらに含み、前記オーディオペイロードは、該第１および第２のオーディオストリームにおいて搬送されたオーディオペイロードを含む、請求項４４に記載のシステム。
【請求項４９】
前記ネットワークインターフェースコントローラは、前記第１および第２のオーディオストリームの相対優先度に基づいて、前記どのＩＰパケットを送信するかを動的に選択し、前記スイッチは、パケットスイッチまたはセルスイッチを含む、請求項４８に記載のシステム。
【請求項５０】
前記第１のオーディオソースおよび前記第２のオーディオソースの内の少なくとも１つは、前記第１および第２のオーディオストリームのそれぞれのためのオーディオを内部で生成する、請求項４４に記載のシステム。
【請求項５１】
前記第１のオーディオソースおよび前記第２のオーディオソースの内の少なくとも１つは、前記第１および第２のオーディオストリームのそれぞれのためのオーディオを生成するように内部ソースからのオーディオを変換する、請求項４４に記載のシステム。
【請求項５２】
第１のオーディオソースからのオーディオを既に搬送しているエグレスオーディオチャネル上で、該第１のオーディオソースから第２のオーディオソースへオーディオをノイズレスにスイッチングするためのシステムであって、
該第２のオーディオソースにおいてエグレスパケットのオーディオストリームを生成する手段と、
該エグレスパケットのオーディオストリームをセルに変換する手段と、
該変換されたセルを該エグレスオーディオチャネルに関連付けられたＳＶＣにスイッチングする手段と、
該スイッチングされたセルを該エグレスパケットのオーディオストリームに戻すように変換する手段と、
パケットの出力エグレスオーディオストリームを作成するために該オーディオストリームをパケット化する手段と、
該第１のオーディオソースからのオーディオの代わりにネットワークを介して該エグレスオーディオチャネル上で該パケットの出力エグレスオーディオストリームを送信する手段と、
を含む、システム。
【請求項５３】
インターネットを介した音声（ＶＯＩＰ）通話のためにオーディオを介してノイズレスなスイッチを導入するための方法であって、
宛先デバイスとメディアサーバとの間でＶＯＩＰ通話を確立する手段と、
第１のオーディオソースおよび第２のオーディオソースに対して優先度情報を設定する手段と、
該それぞれの設定された優先度情報を含むエグレスパケットの第１および第２のオーディオストリームを供給する手段と、
オーディオを介してノイズレスなスイッチを受け取る利用可能性に対してコールステータスを決定する手段と、
該確立されたＶＯＩＰ通話がオーディオを介してノイズレスなスイッチを受け取る候補であることを該コールステータス決定ステップが示す場合、該設定された優先度情報に基づいて、該第１のオーディオストリームと該第２のオーディオストリームとの間でノイズレスにスイッチングされたオーディオストリームを含むコールイベントを処理する手段と
と含む、システム。
【請求項５４】
前記処理手段は、
オーディオを介して前記ノイズレスなスイッチに対する優先度情報を決定する手段と、オーディオを介して該スイッチに対する該決定された優先度情報が前記第１のオーディオストリームの設定された優先度情報よりも大きい場合、前記確立されたＶＯＩＰ通話において同期されたヘッダ情報を有するパケットの出力オーディオストリームにおけるオーディオを介して該ノイズレスなスイッチを送信する手段とを含む、請求項５３に記載のシステム。
【請求項５５】
第２のオーディオソースにおいてエグレスパケットの第２のオーディオストリームを生成する手段であって、前記オーディオストリームは、オーディオを介して該ノイズレスなスイッチを有する、手段と、
該エグレスパケットの第２のオーディオストリームをセルに変換する手段と、
該変換されたセルを該確立されたＶＯＩＰ通話のエグレスオーディオチャネルに関連付けられたＳＶＣにスイッチングする手段と、
該スイッチングされたセルを該エグレスパケットの第２のオーディオストリームに戻すように変換する手段と、
該確立されたＶＯＩＰ通話における前記パケットの出力オーディオストリームを作成するために該第２のオーディオストリームをパケット化する手段と、
前記第１のオーディオソースからのオーディオの代わりにネットワークを介して、該確立されたＶＯＩＰ通話における該エグレスオーディオチャネル上で該パケットの出力オーディオストリームを送信する手段とをさらに含む、請求項５４に記載のシステム。
【請求項５６】
ＶＯＩＰネットワークにおける内部オーディオソース間でノイズレスにスイッチングするための方法であって、
（Ａ）１つのオーディオソースを選択することと、
（Ｂ）エグレスオーディオチャネル上で同期されたヘッダ情報を有するパケットの出力オーディオストリームにおいて該選択された１つのオーディオソースから宛先デバイスにオーディオを送信することと、
（Ｃ）別のオーディオソースを選択することと、
（Ｄ）同じエグレスオーディオチャネル上で同期されたヘッダ情報を有するパケットの出力オーディオストリームにおいて該選択された別のオーディオソースから該宛先デバイスにオーディオを送信することと
を包含する、方法。
【請求項５７】
前記別のオーディオソースは、内部オーディオソースを含み、前記送信するステップ（Ｂ）の前に前記パケットの出力オーディオストリームのためにオーディオペイロードを生成することをさらに包含する、請求５６に記載の方法。
【請求項５８】
前記別のオーディオソースは、外部オーディオソースを含み、前記送信するステップ（Ｂ）の前に該外部オーディオソースにおいて生成されたＩＰパケットから前記パケットの出力オーディオストリームのためにオーディオペイロードを抽出することをさらに包含する、請求項５６に記載の方法。
【請求項５９】
（Ａ）エグレスオーディオチャネル上で同期されたヘッダ情報を有するパケットの出力オーディオストリームにおける１つのオーディオソースから宛先デバイスにオーディオを送信することと、
（Ｂ）同じエグレスオーディオチャネル上で同期されたヘッダ情報を有するパケットの出力オーディオストリームにおける別の独立したオーディオソースから該宛先デバイスにオーディオを送信することであって、それにより該宛先デバイスにおけるユーザは、ＶＯＩＰネットワークにおける該独立したオーディオソースから送信されたオーディオ間を介してノイズレスなスイッチを認識する、ことと
を包含する、方法。
【請求項６０】
（Ａ）エグレスオーディオチャネル上で同期されたヘッダ情報を有するパケットの出力オーディオストリームにおける１つのオーディオソースから宛先デバイスにオーディオを送信する手段と、
（Ｂ）同じエグレスオーディオチャネル上で同期されたヘッダ情報を有するパケットの出力オーディオストリームにおける別の独立したオーディオソースから該宛先デバイスにオーディオを送信する手段であって、それにより、該宛先デバイスにおけるユーザは、ＶＯＩＰネットワークにおける該独立したオーディオソースから送信されたオーディオ間を介してノイズレスなスイッチを認識する、手段と
を含む、システム。